(57)【要約】【課題】通信端末の移動等により、プライベートなネットワークグループの登録状況が変動しても、動的に対応可能な中継サーバを提供する。【解決手段】ＬＡＮ内に配置された中継サーバである。ＬＡＮ内の通信端末のアカウント情報やプライベートなネットワークグループに関するグループ情報を登録する。外部サーバを利用して、他の中継サーバと通信セッションを構築する。グループ情報を保持していない場合、他の中継サーバにグループ情報の送信を要求する。他の中継サーバが保持しているグループ情報に変更が発生した場合、そのグループ情報の送信を要求する。送受信する通信端末が同じネットワークグループである場合に、中継用の通信セッションを通じて、通信端末間の通信データを中継する。【選択図】図１
2008098881.tif 000002
【特許請求の範囲】
【請求項１】
ローカルエリアネットワークに配置され、ワイドエリアネットワークに配置された外部サーバと通信可能な中継サーバであって、
ローカルエリアネットワーク内の通信端末のアカウント情報を登録する手段と、
自装置のアカウント情報を外部サーバに登録する手段と、
外部サーバに登録されている他の中継サーバを指定して、他の中継サーバと直接通信可能な中継用の通信セッションを構築する手段と、
他の中継サーバと、保持しているアカウント情報を交換する手段と、
通信端末のアカウント情報をグループ化したグループ情報を登録する手段と、
ローカルエリアネットワーク内の通信端末から他の通信端末のアカウントを指定した通信要求を受けると、保持しているグループ情報に基づいて両通信端末が同じグループに登録されているか否かを判断し、登録されている場合に、保持しているアカウント情報に基づいて中継サーバを決定し、その中継サーバとの中継用の通信セッションを通じて、通信端末間の通信データを中継する手段と、
を備えることを特徴とする中継サーバ。
【請求項２】
請求項１に記載の中継サーバにおいて、
自装置がグループ情報を保持していない場合、他の中継サーバにグループ情報の送信を要求する手段、
を備える中継サーバ。
【請求項３】
請求項１または請求項２に記載の中継サーバにおいて、
他の中継サーバに、その中継サーバが保持しているグループ情報に変更が発生した場合に変更後のグループ情報の送信を要求する手段、
を備える中継サーバ。
【請求項４】
請求項１ないし請求項３のいずれかに記載の中継サーバにおいて、
通信端末からのグループ情報の送信要求を受け付けて、その通信端末に関するグループ情報を抽出して送信する手段、
を備えることを特徴とする中継サーバ。
【請求項５】
請求項１ないし請求項４のいずれかに記載の中継サーバにおいて、
通信端末からグループ情報を受信して、保持しているグループ情報を更新する手段、
を備えることを特徴とする中継サーバ。
【発明の詳細な説明】
【技術分野】
【０００１】
本発明は、ワイドエリアネットワーク（ＷＡＮ）を越えてローカルエリアネットワーク（ＬＡＮ）内の通信端末同士が通信を行う技術に関する。
【背景技術】
【０００２】
ＳＩＰ（Session Initiation Protocol）などの呼制御プロトコルや、ＤＤＮＳ（Dynamic Domain Name System）を利用して、異なるＬＡＮに存在する通信端末同士が、ＷＡＮを越えて直接通信することが可能である。いわゆるＶＰＮ（Virtual Private Network）と呼ばれる技術であり、遠隔地にある異なるＬＡＮを、あたかも直接接続されているネットワークのように利用することができる。
【０００３】
このような技術を利用することで、たとえば、本社と支社の間のＬＡＮを接続し、それぞれのＬＡＮに接続された端末間で、インターネットを越えた通信などを行うことが可能である。
【０００４】
特許文献１では、インターネットを越えて、異なるＬＡＮに接続された通信端末同士が通信を行うことを可能としている。この技術では、異なるＬＡＮに接続されている異なる通信端末が、それぞれゲートウェイを経由してインターネットに接続された中継サーバに対してログインし、中継サーバとの間でそれぞれ通信経路を確立するようにしている。そして、この通信経路を利用して、通信端末間でインターネットを越えて通信することを可能としている。この特許文献１の技術は、ＷＡＮ上に存在する中継サーバを利用して、ＬＡＮ間で通信を可能とする技術である。
【０００５】
【特許文献１】特開２００２−２１７９３８号公報
【発明の開示】
【発明が解決しようとする課題】
【０００６】
ＶＰＮなどを利用すれば、異なるＬＡＮに接続された端末間で仮想的にプライベートなネットワークグループを構成することも可能である。しかし、この種のプライベートなネットワークグループでは、例えば、そのネットワークグループに参加している通信端末が異なるネットワークグループに移動した場合など、通信端末のアカウントの登録状況が変更される場合には簡単には対応できない、つまり、動的に対応できないという問題があった。
【０００７】
そこで、本発明は前記問題点に鑑み、通信端末の移動等により、プライベートなネットワークグループの登録状況が変動しても、動的に対応できる技術の提供を目的とする。
【課題を解決するための手段】
【０００８】
本発明の中継サーバは、ローカルエリアネットワークに配置され、ワイドエリアネットワークに配置された外部サーバと通信可能な中継サーバであって、ローカルエリアネットワーク内の通信端末のアカウント情報を登録する手段と、自装置のアカウント情報を外部サーバに登録する手段と、外部サーバに登録されている他の中継サーバを指定して、他の中継サーバと直接通信可能な中継用の通信セッションを構築する手段と、他の中継サーバと、保持しているアカウント情報を交換する手段と、通信端末のアカウント情報をグループ化したグループ情報を登録する手段と、ローカルエリアネットワーク内の通信端末から他の通信端末のアカウントを指定した通信要求を受けると、保持しているグループ情報に基づいて両通信端末が同じグループに登録されているか否かを判断し、登録されている場合に、保持しているアカウント情報に基づいて中継サーバを決定し、その中継サーバとの中継用の通信セッションを通じて、通信端末間の通信データを中継する手段と、を備えることを特徴とする。
【０００９】
請求項２に記載の本発明は、請求項１に記載の中継サーバにおいて、自装置がグループ情報を保持していない場合、他の中継サーバにグループ情報の送信を要求する手段、を備える中継サーバである。
【００１０】
請求項３に記載の本発明は、請求項１または請求項２に記載の中継サーバにおいて、他の中継サーバに、その中継サーバが保持しているグループ情報に変更が発生した場合に変更後のグループ情報の送信を要求する手段、を備える中継サーバである。
【００１１】
請求項４に記載の本発明は、請求項１ないし請求項３のいずれかに記載の中継サーバにおいて、通信端末からのグループ情報の送信要求を受け付けて、その通信端末に関するグループ情報を抽出して送信する手段、を備えることを特徴とする中継サーバである。
【００１２】
請求項５に記載の本発明は、請求項１ないし請求項４のいずれかに記載の中継サーバにおいて、通信端末からグループ情報を受信して、保持しているグループ情報を更新する手段、を備えることを特徴とする中継サーバである。
【発明の効果】
【００１３】
本発明の中継サーバを用いて通信システムを構築すれば、プライベートなネットワークを自在に構成して通信できる。そして、いずれか一つの中継サーバにおいて、グループ情報を登録あるいは更新すれば、他の中継サーバでは、中継サーバ間の送受信によって連鎖的にグループ情報の共有化が行われるため、簡単に対応できる。
【発明を実施するための最良の形態】
【００１４】
以下、図面を参照しつつ本発明の実施の形態について説明する。図１は、本実施の形態に係る通信システムの全体図である。この通信システムは、インターネット３と、インターネット３に接続された３つのＬＡＮ１，２，５とから構成されている。ＬＡＮ１，２，５とは、物理的に離れた場所に構築されたネットワークである。たとえば、ＬＡＮ１が本社ビルに構築されたローカルネットワークであり、ＬＡＮ２，５がそれぞれ別の支社ビルに構築されたローカルネットワークであり、これら３つのＬＡＮ１，２，５が、グローバルなネットワークであるインターネット３にそれぞれ接続されている。
【００１５】
｛ＬＡＮ｝
各ＬＡＮ１，２，５には、図１に示すように、通信端末１１，１２・２１，２２・５１，５２がそれぞれ接続されている。各通信端末には、それぞれＬＡＮの中でのみユニークに管理されたプライベートＩＰアドレスが付与されている。そして、各通信端末には、そのプライベートＩＰアドレスと対応付けられたアカウントが付与されている。本実施形態の通信システムでは、各ＬＡＮ１，２，５上に存在する各通信端末１１，・・・のアカウントは、全てネットワーク管理者などによって一元的に管理されている。その概念図を図２に示す。図２に示すように、各通信端末には、通信端末ごとにアカウントが付与されており、通信システム内でユニークに管理されている。したがって、各通信端末は、通信システム内にある限り、そのアカウントに基づいて通信端末が特定できるため、通信端末がＬＡＮを越えて移動しても、動的に対応できる。
【００１６】
また、各ＬＡＮ１，２，５には、それぞれ中継サーバ１３，２３，５３が接続されている。各中継サーバ１３，２３，５３は、各ＬＡＮ１，２，５に接続されるとともに、インターネット３にも接続されている。各中継サーバ１３，２３，５３には、それぞれＬＡＮインタフェース用のプライベートＩＰアドレスとＷＡＮインタフェース用のグローバルＩＰアドレスが付与されている。そして、通信端末と同様に、各中継サーバにも、これらのＩＰアドレスと対応付けられたアカウントが付与されている。
【００１７】
｛インターネット｝
インターネット３には、ＳＩＰサーバ４が接続されている。ＳＩＰサーバ４は、中継サーバ１３，２３，５３がＳＩＰ（Session Initiation Protocol）を利用した通信を行うときに、ＳＩＰメソッドやレスポンスなどを中継するプロキシーサーバとしての機能や、中継サーバ１３，２３，５３のアカウントを登録するＳＩＰレジストラサーバとしての機能を備えている。
【００１８】
｛ＬＡＮとインターネットとの関係｝
例えば、ＬＡＮ１に接続されている中継サーバ１３は、ＳＩＰを利用して、ＬＡＮ１に接続されている通信端末１１，１２等のアカウントを登録するＳＩＰレジストラサーバとしての機能を備えている。
【００１９】
つまり、図３に示すように、中継サーバ１３は、通信端末１１，１２との関係では、通信端末１１，１２から受信した登録要求（ＲＥＧＩＳＴＥＲ）に基づいて、アカウントを登録するＳＩＰレジストラサーバとして機能し、ＳＩＰサーバ４との関係では、ＳＩＰサーバ４に対してアカウントの登録要求（ＲＥＧＩＳＴＥＲ）を送信するクライアントとして機能する。
【００２０】
同様に、ＬＡＮ２，５に接続されている各中継サーバ２３，５３も、ＳＩＰを利用して、ＬＡＮ２，５に接続されている通信端末２１，２２等、５１，５２等のアカウントを登録するＳＩＰレジストラサーバとして機能するとともに、ＳＩＰサーバ４との関係では、クライアントとして機能する。
【００２１】
｛中継サーバ｝
図４は、中継サーバ１３，２３，５３の機能ブロック図である。中継サーバ１３，２３，５３は、同様の機能を備えているので、同じ図面を用いて説明する。中継サーバ１３，２３，５３は、ＬＡＮインタフェース１０１、ＷＡＮインタフェース１０２、通信制御部１０３、ローカルアカウント情報データベース１０４、中継情報データベース１０５、グループ情報データベース１０６を備えている。
【００２２】
｛ＬＡＮインタフェース｝
ＬＡＮインタフェース１０１は、プライベートＩＰアドレスを利用して、ＬＡＮに接続された通信端末との通信を行うインタフェースである。つまり、中継サーバ１３は、ＬＡＮインタフェース１０１を利用して、通信端末１１，１２等と通信を行い、中継サーバ２３は、ＬＡＮインタフェース１０１を利用して、通信端末２１，２２等と通信を行い、中継サーバ５３は、ＬＡＮインタフェース１０１を利用して、通信端末５１，５２等と通信を行う。
【００２３】
｛ＷＡＮインタフェース｝
ＷＡＮインタフェース１０２は、グローバルＩＰアドレスを利用して、グローバルネットワークであるインターネット３に接続されたＳＩＰサーバ４や、インターネット３に接続されたその他の通信サーバ、通信端末と通信を行うインタフェースである。なお、本実施の形態においては、中継サーバがＷＡＮインタフェースを備える構成としているが、ＷＡＮとの接続はルータが行い、その配下に中継サーバを設置する形態であってもよい。
【００２４】
｛通信制御部｝
通信制御部１０３は、ＬＡＮインタフェース１０１およびＷＡＮインタフェース１０２を介して行う様々な通信を制御する処理部である。通信制御部１０３は、ＴＣＰ／ＩＰや、ＵＤＰ、ＳＩＰなどのプロトコルに従った様々な通信処理を制御する。通信制御部１０３は、とくに、ローカルアカウント情報データベース１０４や中継情報データベース１０５、グループ情報データベース１０６を用いて、アカウント情報、中継情報、グループ情報の各情報の制御、および中継セッションの制御を行っている。次にこれらについて詳細に説明する。
【００２５】
｛アカウント情報の制御｝
通信制御部１０３は、ＬＡＮに接続されている通信端末から、アカウントの登録要求（ＲＥＧＩＳＴＥＲ）を受信し、その通信端末のアカウント情報をローカルアカウント情報データベース１０４に登録する。たとえば、中継サーバ１３は、通信端末１１からアカウントの登録要求（ＲＥＧＩＳＴＥＲ）を受信し、通信端末１１のアカウント情報をローカルアカウント情報データベース１０４に登録する。
【００２６】
通信制御部１０３は、また、他の中継サーバとの間で、アカウント情報を交換し、自装置が保持するアカウント情報をその中継サーバに送信するとともに、その中継サーバが保持するアカウント情報を受信して自装置のローカルアカウント情報データベース１０４に登録する。そして、他の中継サーバに、その中継サーバが保持しているアカウント情報に変更が発生した場合、変更通知と変更後のアカウント情報とを継続して送信することを要求する変更通知設定を行い、自装置のアカウント情報に変更が発生した場合には、変更通知設定が行われている中継サーバに対して、変更通知と変更後のアカウント情報とを送信する。この処理は、ＳＩＰでは後述するように、ＳＵＢＳＣＲＩＢＥおよびＮＯＴＩＦＹのメソッドによる通知イベントを利用して行われる。通知イベントでは、通知イベントを実行する期間を設定することができる。オペレータ操作などによって、ＳＵＢＳＣＲＩＢＥメソッドを送信することにより、通知イベントを利用した変更通知設定が行われると、それ以降は、通知イベントが実行可能な期間中、ＳＵＢＳＣＲＩＢＥメソッドを受信した側の中継サーバのアカウント情報に変更が生じた場合、その都度、ＮＯＴＩＦＹメソッドにより、ＳＵＢＳＣＲＩＢＥメソッドを送信した側の中継サーバに、変更通知と新たなアカウント情報の通知とが行われる。
【００２７】
通知されるアカウント情報は、ローカルアカウント情報データベース１０４に登録される。変更があれば、その都度、変更後の内容が登録され、継続的に更新される。
【００２８】
｛中継情報の制御｝
通信制御部１０３は、他の中継サーバとの間で構築されている中継用の通信セッションの中継経路情報を含む中継情報を交換する。そして、自装置が保持する中継情報をその中継サーバに送信するとともに、その中継サーバが保持する中継情報を受信して自装置の中継情報データベース１０５に登録する。また、他の中継サーバに、その中継サーバが保持している中継情報に変更が発生した場合、変更通知と変更後の中継情報とを継続して送信することを要求する変更通知設定を行う。自装置の中継情報に変更が発生した場合には、変更通知設定が行われている中継サーバに対して、変更通知と変更後の中継情報とを送信する。これらの処理は、先のアカウント情報の場合と同様に、ＳＵＢＳＣＲＩＢＥおよびＮＯＴＩＦＹのメソッドによる通知イベントを利用して行われる。
【００２９】
通知される中継情報は、中継情報データベース１０５に登録される。変更があれば、その都度、変更後の内容が登録され、継続的に更新される。
【００３０】
ＩＮＶＩＴＥメソッドによって他の中継サーバと直接通信可能な中継用の通信セッションを構築する際、自装置の中継情報に変更が発生した場合に、変更通知設定が行われている中継サーバに対して、変更通知と変更後の中継情報とを送信するか否かを指定できる。つまり、送信しないことを指定した場合には、中継サーバは、他の中継サーバからのＳＵＢＳＣＲＩＢＥメソッドの送信によって変更通知設定が行われても、それに基づくＮＯＴＩＦＹのメソッドによる中継情報の変更通知と変更後の中継情報の送信は行わない。
【００３１】
また、同様に、ＩＮＶＩＴＥメソッドによって他の中継サーバと直接通信可能な中継用の通信セッションを構築する際、この通信セッションによって形成される中継経路情報を、中継情報に含めるか否かについても指定できる。つまり、中継サーバは、この中継経路情報を中継情報に含めないことを指定することで、新たに構築される中継用の通信セッションを秘匿状態に保持することができる。
【００３２】
｛グループ情報の制御｝
グループ情報は、ネットワーク上に仮想的に構成されるプライベートなネットワークグループの情報である。そこには、接続されているＬＡＮを越えてグループ化された一群の通信端末のアカウント情報が含まれる。例えば、本通信システムでは、図１の破線で示すように、通信端末１１と通信端末２１、通信端末２１と通信端末５１とは、それぞれが接続されているＬＡＮを越えてプライベートなネットワークグループとしてグループ化されている。このネットワークグループは、同じグループ内の通信端末間では通信可能であるが、グループ外の通信端末からの通信は受け付けない閉じたネットワークとなっている。中継サーバは、グループ情報を通信端末から受信することもできるし、中継サーバから受信することもできる。
【００３３】
そして、他の中継サーバに対し、その中継サーバが保持しているグループ情報に変更が発生した場合、変更通知と変更後のグループ情報とを継続して送信することを要求する変更通知設定を行う。自装置のグループ情報に変更が発生した場合には、変更通知設定が行われている中継サーバに対して、変更通知と変更後のグループ情報とを送信する。これらの処理は、先と同様に、ＳＵＢＳＣＲＩＢＥおよびＮＯＴＩＦＹのメソッドによる通知イベントを利用して行われる。
【００３４】
受信するグループ情報は、グループ情報データベース１０６に登録される。変更があれば、その都度、変更後の内容が登録され、継続的に更新される。
【００３５】
また、ＬＡＮに接続されている通信端末からのグループ情報の送信要求を受け付けて、その通信端末が登録されているグループ情報だけを抽出して、返信する機能も備えている。したがって、通信端末を利用するユーザは、その通信端末と同じグループに参加している通信端末を容易に知ることができる。
【００３６】
また、ＬＡＮに接続されている通信端末から、編集されたグループ情報を受信して、自装置が保持しているグループ情報を更新する機能も備えている。したがって、いずれか一つの通信端末でグループ情報を編集して、その通信端末が接続されているＬＡＮの中継サーバに送信してそのグループ情報を更新すれば、先のグループ情報の変更通知設定によって、後は自動的に中継サーバ間で更新したグループ情報が送受信されて共有化される。そのため、通信端末の移動等によるプライベートなネットワークグループの登録内容に変更があっても、煩雑な手続きを要せず、極めてユーザーフレンドリーなシステムとなっている。
【００３７】
｛中継セッションの制御｝
通信制御部１０３は、相手側の中継サーバ１３，２３，５３との間で、トネリングセッションを接続して維持する機能を備える。つまり、中継サーバ１３，２３，５３は、いずれか一方から、ＳＩＰのＩＮＶＩＴＥメソッドを送信することで、中継サーバ１３，２３，５３間でトネリングセッションを確立することができる。中継サーバ１３，２３，５３の通信制御部１０３は、この確立されたトネリングセッションを維持することで、ＬＡＮ１，２，５に接続された通信端末間の通信データを中継することが可能となる。
【００３８】
つまり、ＬＡＮ１，２，５に接続された通信端末には、それぞれユニークなアカウントが付与されているため、互いに別のＬＡＮ１，２，５に配置された通信端末と通信する場合、宛先のユニークなアカウントが指定されることになる。しかし、このアカウントが指定されたＳＩＰコマンドなどの通信データは、中継サーバ１３，２３，５３間において、カプセル化され、他方の中継サーバ１３，２３，５３に中継される。受信側の中継サーバ１３，２３，５３は、中継されてきたＳＩＰコマンドを取り出し、ユニークなアカウントを指定した通信データを、該当する通信端末に対して中継送信する。
【００３９】
通信制御部１０３は、間接的な中継制御も行う。すなわち、同じＬＡＮ内の通信端末から、他のＬＡＮ内の通信端末のアカウントを指定した通信要求を受けると、他の中継サーバから受信したアカウント情報から指定されたアカウントが登録されている中継サーバを決定する。そして、該当する中継サーバとの間で、直接通信可能な中継用の通信セッションが構築されているか否かを検出する。直接通信可能な中継用の通信セッションが構築されていない場合は、交換した中継情報から中継経路を決定して、中継経路上の中継サーバとの中継用の通信セッションを通じて、間接的に、通信端末間の通信データを中継する。
【００４０】
そのほかにも通信制御部１０３は、ＳＩＰサーバ４に対して中継サーバ自身のアカウント登録を行うための登録要求（ＲＥＧＩＳＴＥＲ）を送信する機能を備える。
【００４１】
｛ＳＩＰサーバ｝
図５は、ＳＩＰサーバ４の機能ブロック図である。ＳＩＰサーバ４は、ＷＡＮインタフェース４１、通信制御部４２、中継サーバアカウント情報データベース４３を備えている。
【００４２】
ＷＡＮインタフェース４１は、グローバルＩＰアドレスを利用して、インターネット３に接続されたサーバ、端末との間で通信を行うインタフェースである。ＳＩＰサーバ４は、ＷＡＮインタフェース４１を利用して、中継サーバ１３，２３，５３と通信可能としている。
【００４３】
通信制御部４２は、ＷＡＮインタフェース４１を介して行う様々な通信を制御する処理部である。通信制御部４２は、ＴＣＰ／ＩＰやＵＤＰ、ＳＩＰなどのプロトコルに従った通信処理を制御する。
【００４４】
通信制御部４２の１つの機能は、インターネット３に接続されている中継サーバから、アカウントの登録要求（ＲＥＧＩＳＴＥＲ）を受信し、当該中継サーバのアカウント情報を中継サーバアカウント情報データベース４３に登録することである。たとえば、ＳＩＰサーバ４は、中継サーバ１３からアカウントの登録要求（ＲＥＧＩＳＴＥＲ）を受信し、中継サーバ１３のアカウント情報を中継サーバアカウント情報データベース４３に登録する。
【００４５】
通信制御部４２は、他にも、中継サーバ１３，２３，５３から送信された様々なＳＩＰメソッドやレスポンスなどの通信データを他方の中継サーバに中継する機能を備える。
【００４６】
｛通信処理の流れ｝
以上の通り構成された通信システムにおける通信処理の流れについて、図６ないし図８の処理シーケンス図を参照しながら説明する。なお、図６は、ステップＳ１からステップＳ８までのシーケンスを示し、それに続くステップＳ９からステップＳ１５までのシーケンスは図６に、ステップＳ１６からステップＳ１８までのシーケンスは図８に示す。
【００４７】
ここでは、図１に示すように、通信端末１１と通信端末２１、そして通信端末２１と通信端末５１とが、それぞれが接続されているＬＡＮを越えて、２つのプライベートなネットワークグループとしてグループ化される（図１中、破線で示す）。中継サーバ１３と中継サーバ２３、そして中継サーバ１３と中継サーバ５３とで、それぞれ中継用の通信セッションが構築される（図１中、矢印線で示す）。そして、通信端末間の通信データの送受信が、中継サーバを経由して中継可能となるまでの通信処理の流れを示している。以下、ステップごとに順を追って説明する。
【００４８】
（ステップＳ１）まず、中継サーバ１３は、ＳＩＰサーバ４に対してアカウントの登録要求（ＲＥＧＩＳＴＥＲ）を送信する。図６に示すように、ここでは、中継サーバ１３が、自身のアカウント（SIP:relay-server1@sip.srv）の登録要求を行う。ＳＩＰサーバ４は、ＯＫレスポンスを中継サーバ１３に返信し、中継サーバ１３のアカウントと中継サーバ１３のグローバルＩＰアドレスとを対応付けて中継サーバアカウント情報データベース４３に登録する。パスワード認証を行う場合には、あらかじめ中継サーバアカウント情報データベース４３に、中継サーバのアカウントとパスワードとを対応付けて登録しておく。この場合、ユーザは、登録要求時に合わせてパスワードを送信するのである。そして、パスワード認証が成功した場合に、ＩＰアドレスと対応付けられてアカウントが登録されることになる。
【００４９】
（ステップＳ２）続いて、中継サーバ２３が、ＳＩＰサーバ４に対してアカウントの登録要求（ＲＥＧＩＳＴＥＲ）を送信する。ここでは、中継サーバ２３が、自身のアカウント（SIP:relay-server2@sip.srv）の登録要求を行う。ＳＩＰサーバ４は、ＯＫレスポンスを中継サーバ２３に返信し、中継サーバ２３のアカウントと中継サーバ２３のグローバルＩＰアドレスとを対応付けて中継サーバアカウント情報データベース４３に登録する。同様に、パスワード認証を行うようにしてもよい。
【００５０】
（ステップＳ３）次に、通信端末１１が、中継サーバ１３に対してアカウントの登録要求（ＲＥＧＩＳＴＥＲ）を送信する。ここでは、通信端末１１が、自身のアカウント（SIP:0001@privatesip）の登録要求を行う。中継サーバ１３は、ＯＫレスポンスを行い、通信端末１１のアカウントと通信端末１１のプライベートＩＰアドレスとを対応付けてローカルアカウント情報データベース１０４に登録する。パスワード認証を行う場合には、あらかじめローカルアカウント情報データベース１０４に、通信端末のアカウントとパスワードとを対応付けて登録しておく。この場合、ユーザは、登録要求時に合わせてパスワードを送信するのである。そして、パスワード認証が成功した場合に、ＩＰアドレスと対応付けられてアカウントが登録されることになる。
【００５１】
（ステップＳ４）次に、通信端末２１が、中継サーバ２３に対してアカウントの登録要求（ＲＥＧＩＳＴＥＲ）を送信する。ここでは、通信端末２１が、自身のアカウント（SIP:0002@privatesip）の登録要求を行う。中継サーバ２３は、ＯＫレスポンスを行い、通信端末２１のアカウントと通信端末２１のプライベートＩＰアドレスとを対応付けてローカルアカウント情報データベース１０４に登録する。この場合も、同様にパスワード認証を行ってもよい。
【００５２】
以上により、中継サーバ１３，２３のＳＩＰサーバ４に対するアカウント登録が完了し、通信端末１１，２１の中継サーバ１３，２３に対するアカウント登録が完了する。
【００５３】
（ステップＳ５）次のステップＳ５は、グループ情報の登録処理を示している。グループ情報の登録は、通信システムのネットワークに接続されているいずれの通信端末からでも行うことができる。要は、ネットワーク上のいずれか一つの中継サーバにグループ情報を登録すればよい。ネットワーク上のいずれか一つの中継サーバにグループ情報を登録すれば、後は自動的に中継サーバ間でグループ情報が連鎖的に送受信されて、中継サーバ間でグループ情報を共有することができるからである。ここでは、通信端末１１から行う場合を示している。
【００５４】
通信端末１１は、中継サーバ１３に対し、グループ情報の登録要求コマンド（ＳｅｔＧｒｏｕｐ）を送信する。その際送信されるグループ情報（ＧＬ）の内容を図６のシーケンス図内に示す。ここでは、通信端末１１と通信端末２１とからなるグループと、通信端末２１と通信端末５１とからなるグループとの２つのグループが構成されており、グループ化された通信端末のアカウント情報が、グループを示すグループ標識の下に記録されている。具体的には、グループ化された通信端末１１のアカウント（SIP:0001@privatesip）と通信端末２１のアカウント（SIP:0002@privatesip）に、グループ標識（group001）が付されて、グループ化された通信端末２１のアカウント（SIP:0002@privatesip）と通信端末５１のアカウント（SIP:0003@privatesip）に、グループ標識（group002）が付されて、グループ情報データベース１０６に登録される。
【００５５】
中継サーバ１３は、通信端末１１からグループ情報とその登録要求コマンドを受信すると、通信端末１１に対してＯＫレスポンスが転送される。
【００５６】
(ステップＳ６)次に、中継サーバ１３が、中継サーバ２３に対する接続要求コマンド（ＩＮＶＩＴＥメソッド）を、ＳＩＰサーバ４に送信する。このＩＮＶＩＴＥメソッドでは、接続要求先の中継サーバ２３のアカウント（SIP:relay-sever2@sip.srv）が指定されている。ＳＩＰサーバ４は、中継サーバアカウント情報データベース４３を参照することで、中継サーバ２３のグローバルＩＰアドレスを取得する。そして、ＳＩＰサーバ４は、中継サーバ１３から送信されたＩＮＶＩＴＥメソッドを中継サーバ２３に中継する。
【００５７】
このようにして、接続要求コマンドが中継サーバ１３から中継サーバ２３に送信されると、ＳＩＰサーバ４を介して中継サーバ２３から中継サーバ１３に対してＯＫレスポンスが転送される。
【００５８】
（ステップＳ７）このようにして、接続要求コマンドが受け入れられると、中継サーバ１３，２３間でトネリングセッションが確立される。
【００５９】
以上のステップＳ１からステップＳ７までの処理は、オペレータによって、ネットワークの初期設定として行われるのが一般的である。オペレータは、インターネット３を越えて接続したいＬＡＮに配置されている中継サーバをＳＩＰサーバ４に登録する操作を行う。また、インターネット３を越えて通信を行いたい通信端末を中継サーバに登録する操作を行う。そして、グループ情報を通信端末からネットワーク上のいずれかの中継サーバに登録する操作を行うのである。
【００６０】
（ステップＳ８）次に、中継サーバ１３が、中継サーバ２３に対してＳＵＢＳＣＲＩＢＥメソッドを利用して、中継サーバ２３との間に、通知イベントを利用した変更通知設定を行う。ＳＵＢＳＣＲＩＢＥメソッドは、ＳＩＰサーバ４を経由するか、あるいは直接中継サーバ１３に対して送信される。これによって、中継サーバ２３がもつアカウント情報、中継情報、あるいはグループ情報に変更が発生した場合、その都度、ＮＯＴＩＦＹメソッドにより、その変更通知と、変更後のアカウント情報、変更後の中継情報、あるいは変更後のグループ情報が、中継サーバ２３から中継サーバ１３に通知されることとなる。なお、ここでは、アカウント情報および中継情報はローカルアカウント情報ＬＡに含まれているため、そのいずれかに変更があった場合は一括して変更後のローカルアカウント情報を通知すれば足りる。
【００６１】
ステップＳ８のＳＵＢＳＣＲＩＢＥメソッドに基づいて、ＮＯＴＩＦＹメソッドにより中継サーバ２３から中継サーバ１３に通知されるローカルアカウント情報ＬＡ１の内容を、図６のシーケンス図内に示す。
【００６２】
このローカルアカウント情報ＬＡ１は、中継サーバ２３が配置されているＬＡＮ２に接続されている通信端末であって、中継サーバ２３に対してアカウント登録を行った通信端末の情報を含んでいる。今の状態では、中継サーバ２３に対しては、通信端末２１がアカウントの登録を行っているので、ローカルアカウント情報ＬＡ１には、通信端末２１のアカウント情報（SIP:0002@privatesip）が記録されている。
【００６３】
ローカルアカウント情報ＬＡ１を受信した中継サーバ１３は、その情報を、自装置のローカルアカウント情報データベース１０４に登録する。ただし、受信したアカウント情報については、そのアカウント情報の発信元である中継サーバのアカウント情報と対応付けて登録される。この場合であれば、通信端末２１のアカウント（SIP:0002@privatesip）が、中継サーバ２３のアカウント（SIP:relay-server2@sip.srv）と対応付けて登録される。
【００６４】
また、ローカルアカウント情報ＬＡ１は、中継サーバ２３が構築している直接通信可能な通信セッションの中継経路情報を含む中継情報を含んでいる。しかし、中継サーバ２３は、まだ、中継サーバ１３以外とは直接通信可能な通信セッションが構築されていないため、中継情報に含まれる中継経路情報が存在しないこと（none）が記録されている。ローカルアカウント情報ＬＡ１を受信した中継サーバ１３は、その情報を、その中継情報の発信元である中継サーバ２３のアカウント情報（SIP:relay-server2@sip.srv）と対応付けて自装置の中継情報データベース１０５に登録する。
【００６５】
中継サーバ１３には、すでにグループ情報が登録されているため（ステップＳ５参照）、中継サーバ２３に対して、グループ情報の送信要求は行われない。
【００６６】
（ステップＳ９）次に、図７に示すように、中継サーバ２３が、中継サーバ１３に対してＳＵＢＳＣＲＩＢＥメソッドを利用して、中継サーバ１３との間に、通知イベントを利用した変更通知設定を行う。これによって、中継サーバ１３がもつアカウント情報、中継情報、あるいはグループ情報に変更が発生した場合、その都度、ＮＯＴＩＦＹメソッドにより、その変更通知と、変更後のアカウント情報、変更後の中継情報、あるいは変更後のグループ情報が、中継サーバ１３から中継サーバ２３に通知されることとなる。
【００６７】
中継サーバ２３は、グループ情報を保持していない。そのため、中継サーバ１３に対して、上記変更通知設定と併せてグループ情報の送信要求が行われる。
【００６８】
ステップＳ９のＳＵＢＳＣＲＩＢＥメソッドに基づいて、ＮＯＴＩＦＹメソッドにより中継サーバ１３から中継サーバ２３に通知されるローカルアカウント情報ＬＡ２の内容を、同時に通知されるグループ情報を含めて図７のシーケンス図内に示す。このローカルアカウント情報ＬＡ２は、中継サーバ１３が配置されているＬＡＮ１に接続されている通信端末であって、中継サーバ１３に対してアカウント登録を行った通信端末の情報を含んでいる。中継サーバ２３は、その情報を、自装置のローカルアカウント情報データベース１０４に登録する。この場合であれば、通信端末１１のアカウント（SIP:0001@privatesip）と、中継サーバ１３のアカウント（SIP:relay-server1@sip.srv）とを対応付けた状態で、ローカルアカウント情報データベース１０４に登録する。
【００６９】
ローカルアカウント情報ＬＡ２は、中継サーバ１３が構築している直接通信可能な通信セッションの中継経路情報を含む中継情報を含む。しかし、中継サーバ１３もまた、中継サーバ２３以外とは直接通信可能な通信セッションが構築されていないため、中継情報に含まれる中継経路情報が存在しないこと（none）が記録されている。ローカルアカウント情報ＬＡ２を受信した中継サーバ２３は、その情報を、その中継情報の発信元である中継サーバ１３のアカウント情報（SIP:relay-server1@sip.srv）と対応付けて自装置の中継情報データベース１０５に登録する。
【００７０】
グループ情報は、中継サーバ１３が保持しているグループ情報が送信される。中継サーバ２３は、その情報を自装置のグループ情報データベース１０６に登録する。
【００７１】
ＬＡＮ１に接続された通信端末１１は、中継サーバ１３にアクセスすることで、中継サーバ１３が管理しているローカルアカウント情報データベース１０４や中継情報データベース１０５、グループ情報データベース１０６を参照することが可能である。たとえば、通信端末１１のユーザは、アドレス帳を参照するような操作により、ローカルアカウント情報データベース１０４の内容を参照することができる。同様に、ＬＡＮ２に接続された通信端末２１は、中継サーバ２３が管理しているローカルアカウント情報データベース１０４等を参照できる。
【００７２】
以上のようにして、中継サーバ１３と中継サーバ２３との間で直接中継用の通信セッションが構築されるのである。続いて、さらに、中継サーバ１３と中継サーバ５３との間で直接中継用の通信セッションが構築される通信処理の流れを説明する。
【００７３】
（ステップＳ１０）中継サーバ５３が、ＳＩＰサーバ４に対してアカウントの登録要求（ＲＥＧＩＳＴＥＲ）を送信する。ここでは、中継サーバ５３が、自身のアカウント（SIP:relay-server3@sip.srv）の登録要求を行う。ＳＩＰサーバ４は、ＯＫレスポンスを中継サーバ５３に返信し、中継サーバ５３のアカウントと中継サーバ５３のグローバルＩＰアドレスとを対応付けて中継サーバアカウント情報データベース４３に登録する。同様に、パスワード認証を行うようにしてもよい。
【００７４】
（ステップＳ１１）続いて、通信端末５１が、中継サーバ５３に対してアカウントの登録要求（ＲＥＧＩＳＴＥＲ）を送信する。中継サーバ５３は、通信端末５１にＯＫレスポンスを返信するとともに、通信端末５１のアカウント（SIP:0003@privatesip）を通信端末５１のプライベートＩＰアドレスと対応付けてローカルアカウント情報データベース１０４に登録する。
【００７５】
(ステップＳ１２)次に、中継サーバ５３は、中継サーバ１３に対する接続要求コマンド（ＩＮＶＩＴＥメソッド）を、ＳＩＰサーバ４に送信する。このＩＮＶＩＴＥメソッドでは、接続要求先の中継サーバ１３のアカウント（SIP:relay-sever1@sip.srv）が指定されている。ＳＩＰサーバ４は、中継サーバアカウント情報データベース４３を参照することで、中継サーバ１３のグローバルＩＰアドレスを取得する。そして、ＳＩＰサーバ４は、中継サーバ５３から送信されたＩＮＶＩＴＥメソッドを中継サーバ１３に中継する。
【００７６】
このようにして、接続要求コマンドが中継サーバ５３から中継サーバ１３に送信されると、ＳＩＰサーバ４を介して中継サーバ１３から中継サーバ５３に対してＯＫレスポンスが転送される。
【００７７】
（ステップＳ１３）このようにして、接続要求コマンドが受け入れられると、中継サーバ５３，１３間でトネリングセッションが確立される。なお、ステップＳ１０からステップＳ１３までの処理は、オペレータによって行われる。
【００７８】
（ステップＳ１４）次に、中継サーバ５３が、中継サーバ１３に対してＳＵＢＳＣＲＩＢＥメソッドを利用して、中継サーバ１３との間に、通知イベントを利用した変更通知設定を行う。これによって、中継サーバ１３がもつアカウント情報、中継情報、あるいはグループ情報に変更が発生した場合、その都度、ＮＯＴＩＦＹメソッドにより、その変更通知と、変更後のアカウント情報、変更後の中継情報、あるいは変更後のグループ情報が、中継サーバ１３から中継サーバ５３に通知されることとなる。
【００７９】
中継サーバ５３は、グループ情報を保持していない。そのため、中継サーバ１３に対して、上記変更通知設定と併せてグループ情報の送信要求が行われる。
【００８０】
ステップＳ１４のＳＵＢＳＣＲＩＢＥメソッドに基づいて、ＮＯＴＩＦＹメソッドにより中継サーバ１３から中継サーバ５３に通知されるローカルアカウント情報ＬＡ３の内容を、同時に通知されるグループ情報を含めて図７のシーケンス図内に示す。このローカルアカウント情報ＬＡ３は、中継サーバ１３が配置されているＬＡＮ１に接続されている通信端末であって、中継サーバ１３に対してアカウント登録を行った通信端末の情報を含んでいる。今の状態では、中継サーバ１３に対しては、通信端末１１がアカウントの登録を行っているので、ローカルアカウント情報ＬＡ３には、通信端末１１のアカウント情報（SIP:0001@privatesip）が記録されている。
【００８１】
また、中継サーバ１３は、中継サーバ２３との間で直接通信可能な通信セッションが構築されているため、中継情報には、中継サーバ２３との直接通信可能な通信セッションが構築されていることを示す中継経路情報（SIP:relay-sever2@sip.srv）が記録されている。また、その中継経路情報は、その中継サーバ２３が配置されているＬＡＮ２に接続されている通信端末であって、中継サーバ２３に対してアカウント登録を行った通信端末２１のアカウント情報（SIP:0002@privatesip）とともに記録されている。
【００８２】
ローカルアカウント情報ＬＡ３を受信した中継サーバ５３は、受信したアカウント情報を、自装置のローカルアカウント情報データベース１０４に登録する。ただし、受信したアカウント情報については、そのアカウント情報の発信元である中継サーバのアカウント情報と対応付けて登録される。この場合であれば、通信端末１１のアカウント（SIP:0001@privatesip）が、中継サーバ１３のアカウント（SIP:relay-server1@sip.srv）と対応付けて登録される。
【００８３】
また、中継サーバ５３は、受信した中継情報を、自装置の中継情報データベース１０５に登録する。この場合であれば、中継経路情報（SIP:relay-sever2@sip.srv）が、その中継サーバ２３の管理下にある通信端末２１のアカウント情報（SIP:0002@privatesip）とともに、中継サーバ１３のアカウント（SIP:relay-server1@sip.srv）と対応付けて登録される。
【００８４】
グループ情報は、中継サーバ１３が保持しているグループ情報が送信される。中継サーバ５３は、その情報を自装置のグループ情報データベース１０６に登録する。
【００８５】
これによって、中継セッションが構築されているネットワーク上の中継サーバ１３、２３，５３でグループ情報の共有化が達成されている。すなわち、先のステップＳ５で中継サーバ１３にグループ情報を登録しただけで、ネットワーク上の中継サーバと連鎖的にグループ情報を送受信して共有化することができるのである。
【００８６】
（ステップＳ１５）次に、中継サーバ１３が、中継サーバ５３に対してＳＵＢＳＣＲＩＢＥメソッドを利用して、中継サーバ５３との間に、通知イベントを利用した変更通知設定を行う。これによって、中継サーバ５３がもつローカルアカウント情報に含まれるアカウント情報、中継情報、あるいはグループ情報に変更が発生した場合、その都度、ＮＯＴＩＦＹメソッドにより、その変更通知と、変更後のアカウント情報、変更後の中継情報、あるいは変更後のグループ情報が、中継サーバ５３から中継サーバ１３に通知されることとなる。
【００８７】
ステップＳ１５のＳＵＢＳＣＲＩＢＥメソッドに基づいて、ＮＯＴＩＦＹメソッドにより中継サーバ５３から中継サーバ１３に通知されるローカルアカウント情報ＬＡ４の内容を、図７のシーケンス図内に示している。このローカルアカウント情報ＬＡ４は、中継サーバ５３が配置されているＬＡＮ５に接続されている通信端末であって、中継サーバ５３に対してアカウント登録を行った通信端末の情報を含んでいる。中継サーバ１３は、受信したアカウント情報を、自装置のローカルアカウント情報データベース１０４に登録する。この場合であれば、通信端末５１のアカウント（SIP:0003@privatesip）と、中継サーバ５３のアカウント（SIP:relay-server3@sip.srv）とを対応付けた状態で、ローカルアカウント情報データベース１０４に登録するのである。
【００８８】
また、ローカルアカウント情報ＬＡ４は中継サーバ５３の中継情報を含むが、中継サーバ５３は、まだ、中継サーバ１３以外とは直接通信可能な通信セッションを構築していないため、中継経路情報が存在しないこと（none）が記録されている。ローカルアカウント情報ＬＡ４を受信した中継サーバ１３は、その情報を、その中継情報の発信元である中継サーバ５３のアカウント情報（SIP:relay-server3@sip.srv）と対応付けて自装置の中継情報データベース１０５に登録する。
【００８９】
なお、中継サーバ１３は、自装置にグループ情報を保持しているため、グループ情報の送信要求は行われない。
【００９０】
このようにして、中継サーバ５３と中継サーバ１３とが、ローカルアカウント情報ＬＡ３，ＬＡ４を交換し、ローカルアカウント情報データベース１０４、中継情報データベース１０５、グループ情報データベース１０６に、それぞれ取得した情報を登録する。
【００９１】
（ステップＳ１６）中継サーバ１３では、中継サーバ５３との間で直接通信可能な中継用の通信セッションが構築されたことで、中継情報に変更が発生する。その結果、先に、中継サーバ２３との間で発生している変更通知設定（ステップＳ９）に基づいて、ＮＯＴＩＦＹメソッドにより、その変更通知および変更後の中継情報を含むローカルアカウント情報ＬＡ５が、中継サーバ１３から中継サーバ２３に通知される。
【００９２】
そのローカルアカウント情報ＬＡ５の内容を、図８のシーケンス図内に示す。このローカルアカウント情報ＬＡ５には、中継サーバ１３が配置されているＬＡＮ１に接続されている通信端末であって、中継サーバ１３に対してアカウント登録を行った通信端末の情報（SIP:0001@privatesip）が、中継サーバ１３のアカウント（SIP:relay-server1@sip.srv）と対応付けた状態で含まれている。そして、中継情報として、新たに中継サーバ５３との間で、直接通信可能な通信セッションが構築されていることを示す中継経路情報（SIP:relay-sever3@sip.srv）が、その中継サーバ５３の管理下にある通信端末５１のアカウント情報（SIP:0003@privatesip）と対応付けされた状態で記録されている。
【００９３】
中継サーバ２３は、中継サーバ１３のアカウント（SIP:relay-server1@sip.srv）と対応付けた状態で、それぞれ、受信したアカウント情報を自装置のローカルアカウント情報データベース１０４に登録し、受信した中継情報を自装置の中継情報データベース１０５に登録して、変更後の情報に更新する。
【００９４】
次に、こうして構築されたネットワークで行われる通信端末間の通信データの送受信について説明する。
【００９５】
（ステップＳ１７）ステップＳ１７では、通信端末１１のユーザが、通信端末５１にアクセスを試みた場合を示している。通信端末１１から宛先を通信端末５１とするＳＩＰコマンドが中継サーバ１３に送信される。中継サーバ１３は、そのＳＩＰコマンドを受信すると、自装置のグループ情報データベース１０６を参照し、送信元の通信端末１１と宛先の通信端末５１とが、同じグループに登録されているか否かをチェックする（ＣｈｅｃｋＧｒｏｕｐコマンド）。ここでは両通信端末１１・５１は、同じグループに登録されていないため（図１参照）、中継サーバ１３は、送信元の通信端末１１に対して、エラー応答を返信する。
【００９６】
（ステップＳ１８）ステップＳ１８では、通信端末２１のユーザが、通信端末５１にアクセスを試みた場合を示している。通信端末２１から宛先を通信端末５１とするＳＩＰコマンドが中継サーバ２３に送信される。中継サーバ２３は、そのＳＩＰコマンドを受信すると、自装置のグループ情報データベース１０６を参照し、送信元の通信端末２１と宛先の通信端末５１とが、同じグループに登録されているか否かをチェックする（ＣｈｅｃｋＧｒｏｕｐコマンド）。両通信端末２１・５１は、同じグループに登録されているため（図１参照）、中継サーバ２３は、ローカルアカウント情報データベース１０４を参照し、当該宛先アカウントが登録されている中継サーバを特定する。この場合、通信端末５１のアカウントは、中継サーバ５３と対応付けて登録されているので、中継先として中継サーバ５３が選択される。
【００９７】
次に、中継サーバ５３との間で、直接通信可能な中継用の通信セッションが構築されているか否かを検出する。中継用の通信セッションが構築されていれば、そのまま直接通信データを中継サーバ５３に送信する。しかし、ここでは、中継サーバ２３と中継サーバ５３とは、直接通信可能な中継用の通信セッションが構築されていない。そこで、中継サーバ２３は、中継情報データベース１０５を参照し、交換した中継情報から中継経路を決定する。
【００９８】
具体的には、自装置の中継情報データベース１０５に保持している中継情報には、中継サーバ２３と中継用の通信セッションが構築されている中継サーバ１３が、中継サーバ５３との間で中継用の通信セッションが構築されていることが記録されている（ローカルアカウント情報ＬＡ５参照）。したがって、これを参照することで、中継サーバ１３を経由する、中継サーバ５３との間接的な中継経路を決定することができるのである。中継サーバを介して間接的に中継することは、中継サーバ間の通信負荷の低減に役立つ。
【００９９】
中継経路を決定すると、中継サーバ２３は、通信端末２１から受信したＳＩＰコマンドを、トネリングセッションを利用して、中継サーバ１３に直接転送する（ステップＳ１８．１）。さらに、中継サーバ１３は、中継サーバ２３から受信したＳＩＰコマンドを、中継サーバ５３に直接転送する（ステップＳ１８．１．１）。そして、中継サーバ５３から通信端末５１に転送するのである（ステップＳ１８．１．１．１）。こうして通信端末２１から送信されたＳＩＰコマンドが、通信端末５１に転送される。
【０１００】
通信端末５１は、通信端末２１から送信されたＳＩＰコマンドを受信すると、通信端末２１に対してＳＩＰレスポンスを返信する。このレスポンスは、再びトネリングセッションを利用して中継サーバ５３から中継サーバ１３を経由して中継サーバ２３に転送され、さらに、中継サーバ２３によって通信端末２１に転送される。
【０１０１】
各通信端末は、中継サーバから、その通信端末が登録されているグループ情報だけを抽出して受信することができる。例えば、通信端末１１は、中継サーバ１３にアクセスしてグループ情報について送信要求したとすると、中継サーバ１３は、グループ情報において、通信端末１１のアカウント（SIP:0001@privatesip）が登録されているグループ（group001）の情報を抽出して返信する。したがって、ユーザは、各端末からネットワークに構成されているプライベートなネットワークグループの状況を容易に知ることが可能である。
【０１０２】
中継サーバは、ＬＡＮに接続されている各通信端末からグループ情報を受信して、保持しているグループ情報を更新することができる。例えば、新たにプライベートなネットワークが構築されたとする。そして、いずれかの通信端末から、オペレータがその新しいプライベートなネットワークを含む新しいグループ情報を、同じＬＡＮに接続されている中継サーバに送信する。これを受信した中継サーバは、自装置のグループ情報データベース１０６を更新する。それによって、中継セッションが構築されている他の中継サーバや、中継セッションが構築される中継サーバに連鎖的に更新されたグループ情報が送受信され、最終的には、自動的に全ての中継サーバで更新されたグループ情報を共有化することができるのである。
【０１０３】
また、通信端末が異なるＬＡＮに移動して、新たにそのＬＡＮ内の中継サーバに対してアカウント登録が行われるような場合でも、通信端末のアカウントは、図２に示すように、一元的にユニークに管理されているため、プライベートなネットワークグループ等がそのまま利用でき、アカウント情報等の変更があれば、自動的に中継サーバ間で関連する情報の更新が行われるため、動的に対応できる。
【図面の簡単な説明】
【０１０４】
【図１】本実施の形態に係る通信システムのネットワーク構成図である。
【図２】通信端末のアカウント管理を説明するための概念図である。
【図３】通信端末と中継サーバの関係および中継サーバとＳＩＰサーバとの関係を示す図である。
【図４】中継サーバの機能ブロック図である。
【図５】ＳＩＰサーバの機能ブロック図である。
【図６】通信処理のシーケンス図である。
【図７】通信処理のシーケンス図である。
【図８】通信処理のシーケンス図である。
【符号の説明】
【０１０５】
１，２，５  ＬＡＮ（ローカルネットワーク）
３  インターネット（グローバルネットワーク）
４  ＳＩＰサーバ
１１，１２，２１，２２，５１，５２  通信端末
１３，２３，５３  中継サーバ
【図１】
2008098881.tif 000003
【図２】
2008098881.tif 000004
【図３】
2008098881.tif 000005
【図４】
2008098881.tif 000006
【図５】
2008098881.tif 000007
【図６】
2008098881.tif 000008
【図７】
2008098881.tif 000009
【図８】
2008098881.tif 000010